(57)【要約】【課題】光源からの光を導く導光体を備えた灯具において、その導光体の入射部が複数の発光素子からの光を入射させる複数の分岐部を備えている場合であっても、光源光束を有効に利用可能とする。【解決手段】３つの発光素子２０Ａ、２０Ｂ、２０Ｃからの光を入射させる入射部３２として、３つの分岐部３２Ａ、３２Ｂ、３２Ｃを備えた構成とした上で、各分岐部３２Ａ、３２Ｂ、３２Ｃを、その入射端面３２Ａａ、３２Ｂａ、３２Ｃａから発光部３４へ向けて断面積が徐々に大きくなるように形成された構成とする。これにより、各分岐部３２Ａ、３２Ｂ、３２Ｃに入射した光がその表面で内面反射する際の入射角が次第に小さくなるようにし、各発光素子２０Ａ、２０Ｂ、２０Ｃが各分岐部３２Ａ、３２Ｂ、３２Ｃの表面および発光部３４との接続部分の表面において内面反射する際の入射角が導光体３０の臨界角以上になってしまうのを未然に防止する。【選択図】図２
2018129148.tif 000002
【特許請求の範囲】
【請求項１】
光源からの光を導く導光体を備えた灯具において、
上記光源として複数の発光素子を備えており、
上記導光体は、上記複数の発光素子からの光を入射させる入射部と、この入射部から入射した光を内面反射させながら出射させる発光部とを備えており、
上記入射部は、上記発光部から複数の方向に分岐するように形成された複数の分岐部を備えており、これら複数の分岐部の入射端面において上記複数の発光素子からの光を入射させるように構成されており、
上記複数の分岐部のうち少なくとも１つの分岐部は、該分岐部の入射端面から上記発光部へ向けて断面積が徐々に大きくなるように形成されている、ことを特徴とする灯具。
【請求項２】
上記複数の分岐部として、上記発光部の略同一箇所から分岐した３つ以上の分岐部を備えている、ことを特徴とする請求項１記載の灯具。
【請求項３】
上記光源および上記導光体は、ランプボディと透光カバーとで形成される灯室内に収容されており、上記導光体と上記透光カバーとの間に、灯具正面視において上記発光部を露出させた状態で上記入射部を遮蔽する遮蔽部材が配置されている、ことを特徴とする請求項１または２記載の灯具。
【請求項４】
上記複数の発光素子として、互いに異なる点灯モードで点灯する複数種類の発光素子を備えている、ことを特徴とする請求項１〜３いずれか記載の灯具。
【請求項５】
上記複数の発光素子は、共通の基板に搭載されている、ことを特徴とする請求項１〜４いずれか記載の灯具。
【発明の詳細な説明】
【技術分野】
【０００１】
本願発明は、光源からの光を導く導光体を備えた灯具に関するものである。
【背景技術】
【０００２】
従来より、テールランプやクリアランスランプ等の車両用灯具の構成として、光源からの光を導く導光体を備えたものが知られている。
【０００３】
「特許文献１」には、このような灯具における導光体の構成として、複数の発光素子からの光を入射させる入射部と、この入射部から入射した光を内面反射させながら出射させる発光部とを備えたものが記載されている。
【０００４】
この「特許文献１」に記載された導光体の入射部は、発光部から複数の方向に分岐するように形成された複数の分岐部を備えており、これら複数の分岐部の入射端面において複数の発光素子からの光を入射させる構成となっている。
【０００５】
そして、この「特許文献１」には、複数の分岐部として、入射端面から発光部へ向けて一定の断面積で延びるように形成された分岐部と、入射端面から発光部へ向けて断面積が徐々に小さくなるように形成された分岐部とを備えたものが記載されている。
【先行技術文献】
【特許文献】
【０００６】
【特許文献１】特開２０１３−２２２５４０号公報
【発明の概要】
【発明が解決しようとする課題】
【０００７】
複数の分岐部を備えた入射部の構成として、各分岐部がその入射端面から発光部へ向けて一定の断面積で延びるように形成されている場合には、その入射端面から入射した光が分岐部と発光部との接続部分の表面において内面反射する際、その入射角が臨界角以上の値になってしまうことがある。
【０００８】
また、分岐部がその入射端面から発光部へ向けて断面積が徐々に小さくなるように形成されている場合には、その入射端面から入射した光が分岐部の表面で内面反射する際の入射角が次第に大きくなるので、分岐部の表面においても入射角が臨界角以上の値になってしまうことがある。
【０００９】
そして、このように内面反射する際の入射角が臨界角以上の値になってしまうと、導光体を導かれる光の一部が外部に漏れ出してしまうので、光源光束を有効に利用することができなくなってしまう。
【００１０】
本願発明は、このような事情に鑑みてなされたものであって、光源からの光を導く導光体を備えた灯具において、その導光体の入射部が複数の発光素子からの光を入射させる複数の分岐部を備えている場合であっても、光源光束を有効に利用することができる灯具を提供することを目的とするものである。
【課題を解決するための手段】
【００１１】
本願発明は、導光体の構成に工夫を施すことにより、上記目的達成を図るようにしたものである。
【００１２】
すなわち、本願発明に係る灯具は、
光源からの光を導く導光体を備えた灯具において、
上記光源として複数の発光素子を備えており、
上記導光体は、上記複数の発光素子からの光を入射させる入射部と、この入射部から入射した光を内面反射させながら出射させる発光部とを備えており、
上記入射部は、上記発光部から複数の方向に分岐するように形成された複数の分岐部を備えており、これら複数の分岐部の入射端面において上記複数の発光素子からの光を入射させるように構成されており、
上記複数の分岐部のうち少なくとも１つの分岐部は、該分岐部の入射端面から上記発光部へ向けて断面積が徐々に大きくなるように形成されている、ことを特徴とするものである。
【００１３】
上記「発光素子」の種類は特に限定されるものではなく、例えば発光ダイオードやレーザダイオード等が採用可能である。
【００１４】
上記「入射部」は、複数の分岐部の入射端面において複数の発光素子からの光を入射させるように構成されていれば、その具体的な構成は特に限定されるものではない。その際、上記「入射部」が３つ以上の分岐部を備えている場合には、これらは発光部の同一箇所から分岐していてもよいし、互いに異なる箇所から分岐していてもよい。
【００１５】
上記各「分岐部」は、その入射端面において、単一の発光素子からの光を入射させる構成となっていてもよいし、複数の発光素子からの光を入射させる構成となっていてもよい。
【００１６】
上記「発光部」は、入射部から入射した光を内面反射させながら出射させるように構成されていれば、その具体的な構成は特に限定されるものではない。
【発明の効果】
【００１７】
本願発明に係る灯具は、複数の発光素子からの光を入射部から入射させた後、発光部において内面反射させながら出射させる導光体を備えており、その入射部として、発光部から複数の方向に分岐するように形成された複数の分岐部の入射端面において複数の発光素子からの光を入射させる構成となっているが、複数の分岐部のうち少なくとも１つの分岐部は、その入射端面から発光部へ向けて断面積が徐々に大きくなるように形成されているので、次のような作用効果を得ることができる。
【００１８】
すなわち、入射端面から発光部へ向けて断面積が徐々に大きくなるように形成された分岐部においては、その入射端面から入射した光が該分岐部の表面で内面反射する際の入射角が次第に小さくなるので、分岐部の表面において入射角が導光体の臨界角以上になってしまうのを未然に防止することができ、かつ、発光部との接続部分の表面においても内面反射する際の入射角が導光体の臨界角以上になってしまうのを未然に防止することが容易に可能となる。そしてこれにより光源光束を有効に利用することができる。
【００１９】
このように本願発明によれば、光源からの光を導く導光体を備えた灯具において、その導光体の入射部が複数の発光素子からの光を入射させる複数の分岐部を備えている場合であっても、光源光束を有効に利用することができる。
【００２０】
上記構成において、入射部を構成する複数の分岐部として、発光部の略同一箇所から分岐した３つ以上の分岐部を備えた構成とすれば、導光体における入射部の占有比率を小さくして発光部の占有比率を大きくすることができる。そしてこれにより導光体の発光面積を大きくすることができる。
【００２１】
上記構成において、光源および導光体が、ランプボディと透光カバーとで形成される灯室内に収容された構成とした上で、導光体と透光カバーとの間に、灯具正面視において発光部を露出させた状態で入射部を遮蔽する遮蔽部材が配置された構成とすれば、灯具の見映えを向上させることができる。
【００２２】
上記構成において、複数の発光素子として、互いに異なる点灯モードで点灯する複数種類の発光素子を備えた構成とすれば、灯具機能を高めることができる。
【００２３】
上記構成において、複数の発光素子が共通の基板に搭載された構成とすれば、複数の発光素子の位置関係精度を高めて灯具の配光性能を高めることができ、かつ灯具構成を簡素化することができる。
【図面の簡単な説明】
【００２４】
【図１】本願発明の一実施形態に係る灯具を示す正面図
【図２】図１の要部を示す断面詳細図
【図３】図２のIII−III線断面図
【図４】（ａ）は図３のIVａ詳細図、（ｂ）は上記実施形態の第１変形例を示す（ａ）と同様の図
【図５】上記実施形態の第２変形例の要部を示す、図２と同様の図
【図６】上記実施形態の第３変形例の要部を示す、図２と同様の図
【図７】上記実施形態の第４変形例の要部を示す、図２と同様の図
【図８】上記実施形態の第５変形例の要部を示す、図２と同様の図
【発明を実施するための形態】
【００２５】
以下、図面を用いて、本願発明の実施の形態について説明する。
【００２６】
図１は、本願発明の一実施形態に係る灯具１０を示す正面図である。
【００２７】
同図に示すように、本実施形態に係る灯具１０は、車両の右後部に配置されるテール＆ストップランプ（すなわち車両用灯具）であって、ランプボディ１２と透明のアウターカバー１４とで形成される灯室内に、３つの発光素子２０Ａ、２０Ｂ、２０Ｃと、これら３つの発光素子２０Ａ、２０Ｂ、２０Ｃからの光を導光する導光体３０とが収容された構成となっている。
【００２８】
図２は、図１の要部を示す断面詳細図であり、図３は、図２のIII−III線断面図である。
【００２９】
本実施形態に係る灯具１０としては、図３において、Ｘで示す方向が「前方」（車両としては「後方」）であり、Ｙで示す方向が「前方」と直交する「右方向」（車両としても「右方向」）である。
【００３０】
これらの図に示すように、導光体３０は、右方向へ向けてやや灯具後方側に傾斜して延びるように形成されている。この導光体３０は、その右端部が３つの発光素子２０Ａ、２０Ｂ、２０Ｃからの光を入射させる入射部３２を構成しており、それ以外の部分が入射部３２から入射した光を内面反射させながら出射させる発光部３４を構成している。
【００３１】
３つの発光素子２０Ａ、２０Ｂ、２０Ｃは、いずれも赤色発光ダイオードであって、共通の基板２２に対して上下方向に略等間隔をおいて搭載されている。この基板２２は、ランプボディ１２等に支持されている。
【００３２】
３つの発光素子２０Ａ、２０Ｂ、２０Ｃは、上下対称の位置関係で左方向（すなわち車幅方向内側）へ向けて配置されている。その際、中央に位置する発光素子２０Ａは、その発光面を水平方向に向けて配置されており、上側に位置する発光素子２０Ｂは、その発光面を水平方向よりもやや下向き（例えば１０〜２０°程度下向き）の方向へ向けて配置されており、下側に位置する発光素子２０Ｃは、その発光面を水平方向よりもやや上向き（例えば１０〜２０°程度上向き）の方向へ向けて配置されている。
【００３３】
これら３つの発光素子２０Ａ、２０Ｂ、２０Ｃは、中央に位置する発光素子２０Ａがテールランプ点灯モードで点灯し、上下１対の発光素子２０Ｂ、２０Ｃがストップランプ点灯モードで点灯するように構成されている。
【００３４】
図１に示すように、上記灯室内における導光体３０と透光カバー１４との間には、灯具正面視（すなわち車両後面視）において発光部３４を露出させた状態で入射部３２を遮蔽するパネル状の遮蔽部材１６が配置されている。この遮蔽部材１６は、灯具正面視において発光部３４を囲むように形成された横長矩形状の開口部１６ａを有している。そして、この遮蔽部材１６は、灯具正面視において３つの発光素子２０Ａ、２０Ｂ、２０Ｃおよび基板２２をも遮蔽するように形成された状態で、ランプボディ１２等に支持されている。
【００３５】
次に、導光体３０の具体的な構成について説明する。
【００３６】
導光体３０は、アクリル（ＰＭＭＡ）樹脂やポリカーボネート（ＰＣ）樹脂等の透明な樹脂成形品として構成されており、上下対称の形状を有している。
【００３７】
導光体３０の発光部３４は、円柱状に形成されており、その後面部には複数の反射素子３４ｓがその長手方向に略等間隔で形成されている。
【００３８】
図２に示すように、導光体３０の入射部３２は、発光部３４の右端に位置する同一箇所（すなわち、発光部３４の中心軸線Ａｘ上に位置する点Ａ）から上下３方向に分岐するように形成された３つの分岐部３２Ａ、３２Ｂ、３２Ｃを備えている。そして、各分岐部３２Ａ、３２Ｂ、３２Ｃは、その先端に位置する入射端面３２Ａａ、３２Ｂａ、３２Ｃａにおいて各発光素子２０Ａ、２０Ｂ、２０Ｃからの光を入射させるように構成されている。
【００３９】
中央に位置する分岐部３２Ａは、点Ａから中心軸線Ａｘと同軸の中心軸線Ａｘａに沿って右方向へ延びており、その入射端面３２Ａａが発光素子２０Ａの発光面と正対している。上側に位置する分岐部３２Ｂは、点Ａから中心軸線Ａｘｂに沿って右斜め上方向（例えば中心軸線Ａｘａに対して１０〜２０°程度上向きの方向）に延びており、その入射端面３２Ｂａが発光素子２０Ｂの発光面と正対している。下側に位置する分岐部３２Ｃは、点Ａから中心軸線Ａｘｃに沿って右斜め下方向（例えば中心軸線Ａｘａに対して１０〜２０°程度下向きの方向）に延びており、その入射端面３２Ｃａが発光素子２０Ｃの発光面と正対している。
【００４０】
３つの分岐部３２Ａ、３２Ｂ、３２Ｃの表面は、いずれも中心軸線Ａｘａ、Ａｘｂ、Ａｘｃを中心とする同一サイズの円錐面形状を有している。すなわち、各分岐部３２Ａ、３２Ｂ、３２Ｃは、その中心軸線Ａｘａ、Ａｘｂ、Ａｘｃと直交する平面に沿った断面形状が円形になっている。そして、各分岐部３２Ａ、３２Ｂ、３２Ｃは、その入射端面３２Ａａ、３２Ｂａ、３２Ｃａから発光部３４の右端位置へ向けて円形の断面形状の断面積が徐々に大きくなるように形成されており、その基端部において互いに一体化した状態で発光部３４に接続されている。
【００４１】
図４（ａ）は、図３のIVａ詳細図である。
【００４２】
図４（ａ）にも示すように、発光部３４の後面部に形成された複数の反射素子３４ｓは、いずれも発光部３４の外周面を削るようにして凹状に形成されている。その際、各反射素子３４ｓは、直線部を有する楔状の水平断面形状で上下方向に延びるように形成されている。そして、入射部３２から入射して発光部３４の外周面を全反射により内面反射しながら左方向へ導かれる光のうち、その途中で各反射素子３４ｓに到達した光を、該反射素子３４ｓにおいて灯具正面方向寄りの方向へ全反射により内面反射させ、発光部３４の前面部から灯具前方へ出射させるようになっている。
【００４３】
次に、本実施形態の作用効果について説明する。
【００４４】
本実施形態に係る灯具１０は、３つの発光素子２０Ａ、２０Ｂ、２０Ｃからの光を入射部３２から入射させた後、発光部３４において内面反射させながら出射させる導光体３０を備えており、その入射部３２として、発光部３４から上下３方向に分岐するように形成された３つの分岐部３２Ａ、３２Ｂ、３２Ｃの入射端面３２Ａａ、３２Ｂａ、３２Ｃａにおいて３つの発光素子２０Ａ、２０Ｂ、２０Ｃからの光を入射させる構成となっているが、各分岐部３２Ａ、３２Ｂ、３２Ｃは、その入射端面３２Ａａ、３２Ｂａ、３２Ｃａから発光部３４へ向けて断面積が徐々に大きくなるように形成されているので、次のような作用効果を得ることができる。
【００４５】
すなわち、入射端面３２Ａａ、３２Ｂａ、３２Ｃａから発光部３４へ向けて断面積が徐々に大きくなるように形成された分岐部３２Ａ、３２Ｂ、３２Ｃにおいては、その入射端面３２Ａａ、３２Ｂａ、３２Ｃａから入射した光が該分岐部３２Ａ、３２Ｂ、３２Ｃの表面（すなわち外周面）で内面反射する際の入射角が次第に小さくなるので、分岐部３２Ａ、３２Ｂ、３２Ｃの表面において入射角が導光体３０の臨界角以上になってしまうのを未然に防止することができ、かつ、発光部３４との接続部分の表面においても内面反射する際の入射角が導光体３０の臨界角以上になってしまうのを未然に防止することが容易に可能となる。そしてこれにより光源光束を有効に利用することができる。
【００４６】
このように本実施形態によれば、光源からの光を導く導光体３０を備えた灯具１０において、その導光体３０の入射部３２が３つの発光素子２０Ａ、２０Ｂ、２０Ｃからの光を入射させる３つの分岐部３２Ａ、３２Ｂ、３２Ｃを備えている場合であっても、光源光束を有効に利用することができる。
【００４７】
本実施形態においては、入射部３２を構成する３つの分岐部３２Ａ、３２Ｂ、３２Ｃが発光部３４の同一箇所から分岐しているので、導光体３０における入射部３２の占有比率を小さくして発光部３４の占有比率を大きくすることができる。そしてこれにより導光体３０の発光面積を大きくすることができる。
【００４８】
本実施形態においては、３つの発光素子２０Ａ、２０Ｂ、２０Ｃおよび導光体３０がランプボディ１２と透光カバー１４とで形成される灯室内に収容された構成となっているが、導光体３０と透光カバー１４との間には、灯具正面視において発光部３４を露出させた状態で入射部３２を遮蔽する遮蔽部材１６が配置されているので、灯具１０の見映えを向上させることができる。
【００４９】
本実施形態においては、３つの発光素子２０Ａ、２０Ｂ、２０Ｃのうち、中央に位置する発光素子２０Ａがテールランプ点灯モードで点灯し、上下１対の発光素子２０Ｂ、２０Ｃがストップランプ点灯モードで点灯する構成となっているので、灯具機能を高めることができ、かつ灯具１０が各点灯モードでバランス良く光って見えるようにすることができる。
【００５０】
本実施形態においては、３つの発光素子２０Ａ、２０Ｂ、２０Ｃが共通の基板２２に搭載されているので、３つの発光素子２０Ａ、２０Ｂ、２０Ｃの位置関係精度を高めて灯具１０の配光性能を高めることができ、かつ灯具構成を簡素化することができる。
【００５１】
上記実施形態においては、導光体３０の発光部３４が円柱状に形成されているものとして説明したが、それ以外の形状（例えば楕円柱状や角柱状等）に形成された構成とすることも可能である。
【００５２】
上記実施形態においては、複数の反射素子３４ｓが発光部３４の外周面を削るようにして凹状に形成されているものとして説明したが、複数の反射素子３４ｓが発光部３４の外周面から突出するように形成された構成とすることも可能である。
【００５３】
上記実施形態においては、３つの分岐部３２Ａ、３２Ｂ、３２Ｃがいずれも同一サイズの円錐形状を有しているものとして説明したが、互いに異なるサイズの円錐形状を有する構成とすることも可能である。また、各分岐部３２Ａ、３２Ｂ、３２Ｃとして、円錐形状以外の形状（例えば楕円錐形状や角錐形状等）を有する構成とすることも可能である。
【００５４】
上記実施形態においては、各分岐部３２Ａ、３２Ｂ、３２Ｃ毎に、その入射端面３２Ａａ、３２Ｂａ、３２Ｃａと正対した状態で発光素子２０Ａ、２０Ｂ、２０Ｃが１つずつ配置されているものとして説明したが、これ以外の構成（例えば、中央の分岐部３２Ａの入射端面３２Ａａに対して複数の発光素子２０Ａが配置されるとともに上下両側の各分岐部３２Ｂ、３２Ｃの入射端面３２Ｂａ、３２Ｃａに対して１つの発光素子２０Ｂ、２０Ｃが配置された構成等）とすることも可能である。
【００５５】
上記実施形態においては、中央の発光素子２０Ａがテールランプ点灯モードで点灯し、上下１対の発光素子２０Ｂ、２０Ｃがストップランプ点灯モードで点灯するものとして説明したが、それ以外の態様で点灯する構成（例えば、上下１対の発光素子２０Ｂ、２０Ｃがテールランプ点灯モードで点灯し、中央の発光素子２０Ａがストップランプ点灯モードで明るく点灯する構成等）を採用することも可能である。
【００５６】
上記実施形態においては、灯具１０がテール＆ストップランプである場合について説明したが、それ以外の車両用灯具（例えば、クリアランスランプ、デイタイムランニングランプ、ターンシグナルランプ、ルームランプ等）であってもよく、さらには車両用灯具以外の灯具であってもよい。
【００５７】
次に、上記実施形態の変形例について説明する。
【００５８】
まず、上記実施形態の第１変形例について説明する。
【００５９】
図４（ｂ）は、本変形例に係る灯具の要部を示す、図４（ａ）と同様の図である。
【００６０】
図４（ｂ）に示すように、本変形例に係る灯具の基本的な構成は上記実施形態の場合と同様であるが、導光体１３０における発光部１３４の構成が上記実施形態の場合と異なっている。
【００６１】
すなわち、本変形例の導光体１３０は、その発光部１３４の後面部に形成された各反射素子１３４ｓが、左方向へ向けて傾斜角度が順次大きくなる３つの直線部１３４ｓ１、１３４ｓ２、１３４ｓ３を備えた構成となっている。
【００６２】
本変形例の構成を採用することにより、発光部１３４を導かれる途中で各反射素子１３４ｓに到達した光を、該反射素子１３４ｓにおいて全反射により内面反射させる際、その反射方向を３つの直線部１３４ｓ１、１３４ｓ２、１３４ｓ３によって左右方向に拡げることができ、これにより発光部１３４の前面部から灯具前方へ出射する光を左右両側に拡がる拡散光とすることができる。そしてこれにより点灯時における灯具１０の見映えを一層向上させることができる。
【００６３】
次に、上記実施形態の第２変形例について説明する。
【００６４】
図５は、本変形例に係る灯具の要部を示す、図２と同様の図である。
【００６５】
同図に示すように、本変形例に係る灯具の基本的な構成は上記実施形態の場合と同様であるが、導光体２３０における入射部２３２の構成および３つの発光素子２０Ａ、２０Ｂ、２０Ｃの配置が上記実施形態の場合と異なっている。
【００６６】
すなわち、本変形例の導光体２３０も、上記実施形態の導光体３０と同様、その発光部２３４が円柱状に形成されており、その後面部には複数の反射素子２３４ｓが形成されている。また本変形例においても、導光体２３０の入射部２３２が発光部２３４の同一箇所から上下３方向に分岐するように形成された３つの分岐部２３２Ａ、２３２Ｂ、２３２Ｃを備えており、その入射端面２３２Ａａ、２３２Ｂａ、２３２Ｃａにおいて３つの発光素子２０Ａ、２０Ｂ、２０Ｃからの光を入射させる構成となっている。
【００６７】
その際、３つの分岐部２３２Ａ、２３２Ｂ、２３２Ｃは、上記実施形態の分岐部３２Ａ、３２Ｂ、３２Ｃと同一形状で形成されているが、その入射端面２３２Ａａ、２３２Ｂａ、２３２Ｃａが、発光部３４の中心軸線Ａｘ（および分岐部２３２Ａの中心軸線Ａｘａ）と直交する同一の鉛直面に沿って延びるように形成されている点で、上記実施形態の場合と異なっている。
【００６８】
そして本変形例においては、各発光素子２０Ａ、２０Ｂ、２０Ｃが、各分岐部２３２Ａ、２３２Ｂ、２３２Ｃの入射端面２３２Ａａ、２３２Ｂａ、２３２Ｃａと正対した状態で左向きに配置されている。そして、３つの発光素子２０Ａ、２０Ｂ、２０Ｃは、平板状に形成された共通の基板２２２に搭載されている。
【００６９】
本変形例の構成を採用した場合には、各入射端面２３２Ａａ、２３２Ｂａ、２３２Ｃａから入射した各発光素子２０Ａ、２０Ｂ、２０Ｃからの光が各分岐部２３２Ａ、２３２Ｂ、２３２Ｃの表面で内面反射する際の入射角が上記実施形態の場合とは異なったものとなるが、その入射角が導光体２３０の臨界角以上になってしまうことはなく、また発光部２３４との接続部分の表面においても導光体２３０の臨界角以上になってしまうことはない。
【００７０】
したがって、本変形例の構成を採用した場合においても上記実施形態の場合と同様の作用効果を得ることができる。
【００７１】
そして、本変形例の構成を採用することにより、基板２２２の形状を簡素化することができる。
【００７２】
次に、上記実施形態の第３変形例について説明する。
【００７３】
図６は、本変形例に係る灯具の要部を示す、図２と同様の図である。
【００７４】
同図に示すように、本変形例に係る灯具の基本的な構成は上記実施形態の場合と同様であるが、導光体３３０における入射部３３２の構成および３つの発光素子２０Ａ、２０Ｂ、２０Ｃの配置が上記実施形態の場合と異なっている。
【００７５】
すなわち、本変形例の導光体３３０も、上記実施形態の導光体３０と同様、その発光部３３４が円柱状に形成されており、その後面部には複数の反射素子３３４ｓが形成されている。また本変形例においても、導光体３３０の入射部３３２が発光部３３４から上下３方向に分岐するように形成された３つの分岐部３３２Ａ、３３２Ｂ、３３２Ｃを備えており、その入射端面３３２Ａａ、３３２Ｂａ、３３２Ｃａにおいて３つの発光素子２０Ａ、２０Ｂ、２０Ｃからの光を入射させる構成となっている。
【００７６】
その際、３つの分岐部３３２Ａ、３３２Ｂ、３３２Ｃは、上記実施形態の分岐部３２Ａ、３２Ｂ、３２Ｃと同一形状で形成されているが、上側の分岐部３３２Ｂが上記実施形態の分岐部３２Ｂよりも左側に大きく変位しているとともに下側の分岐部３３２Ｃが上記実施形態の分岐部３２Ｃよりも左側に多少変位している点で上記実施形態の場合と異なっている。
【００７７】
そして本変形例においては、各発光素子２０Ａ、２０Ｂ、２０Ｃが、各分岐部３３２Ａ、３３２Ｂ、３３２Ｃの入射端面３３２Ａａ、３３２Ｂａ、３３２Ｃａと正対した状態で互いに左右方向にずれた位置に配置されている。これら３つの発光素子２０Ａ、２０Ｂ、２０Ｃは、別々の基板３２２Ａ、３２２Ｂ、３２２Ｃに搭載されている。
【００７８】
本変形例の構成を採用した場合には、入射部３３２として、３つの分岐部３３２Ａ、３３２Ｂ、３３２Ｃの基端部が一体化する位置が左右方向にずれた構成となるが、各入射端面３３２Ａａ、３３２Ｂａ、３３２Ｃａから入射した各発光素子２０Ａ、２０Ｂ、２０Ｃからの光が各分岐部３３２Ａ、３３２Ｂ、３３２Ｃの表面で内面反射する際の入射角が導光体３３０の臨界角以上になってしまうことはなく、また発光部３３４との接続部分の表面においても導光体３３０の臨界角以上になってしまうことはない。
【００７９】
したがって、本変形例の構成を採用した場合においても上記実施形態の場合と同様の作用効果を得ることができる。
【００８０】
次に、上記実施形態の第４変形例について説明する。
【００８１】
図７は、本変形例に係る灯具の要部を示す、図２と同様の図である。
【００８２】
同図に示すように、本変形例に係る灯具の基本的な構成は上記実施形態の場合と同様であるが、導光体４３０における入射部４３２の構成および２つの発光素子２０Ａ、２０Ｂの配置が上記実施形態の場合と異なっている。
【００８３】
すなわち、本変形例の導光体４３０も、上記実施形態の導光体３０と同様、その発光部４３４が円柱状に形成されており、その後面部には複数の反射素子４３４ｓが形成されている。
【００８４】
一方、本変形例の導光体４３０は、その入射部４３２が発光部４３４から上下２方向に分岐するように形成された２つの分岐部４３２Ａ、４３２Ｂを備えており、その入射端面４３２Ａａ、４３２Ｂａにおいて２つの発光素子２０Ａ、２０Ｂからの光を入射させる構成となっている。
【００８５】
その際、下側の分岐部４３２Ａは、中心軸線Ａｘと同軸の中心軸線Ａｘａに沿って右方向へ延びており、発光部４３４をそのまま延長させた円柱形状を有している。上側の分岐部４３２Ｂは、中心軸線Ａｘｂに沿って右斜め上方向へ延びており、上記実施形態の分岐部３２Ｂと同一の形状を有している。
【００８６】
そして本変形例においては、各発光素子２０Ａ、２０Ｂが、各分岐部４３２Ａ、４３２Ｂの入射端面４３２Ａａ、４３２Ｂａと正対した状態で配置されている。これら２つの発光素子２０Ａ、２０Ｂは、別々の基板４２２Ａ、４２２Ｂに搭載されている。
【００８７】
本変形例においては、下側の分岐部４３２Ａが入射端面４３２Ａａから発光部４３４へ向けて一定の断面積で延びるように形成されているが、上側の分岐部４３２Ｂが入射端面４３２Ｂａから発光部４３４へ向けて断面積が徐々に大きくなるように形成されているので、各入射端面４３２Ａａ、４３２Ｂａから入射した各発光素子２０Ａ、２０Ｂからの光が各分岐部４３２Ａ、４３２Ｂの表面で内面反射する際の入射角が導光体４３０の臨界角以上になってしまうことはなく、また発光部４３４との接続部分の表面においても導光体４３０の臨界角以上になってしまうことはない。
【００８８】
したがって、本変形例の構成を採用した場合においても上記実施形態の場合と略同様の作用効果を得ることができる。
【００８９】
次に、上記実施形態の第５変形例について説明する。
【００９０】
図８は、本変形例に係る灯具の要部を示す、図２と同様の図である。
【００９１】
同図に示すように、本変形例に係る灯具の基本的な構成は上記実施形態の場合と同様であるが、導光体５３０における入射部５３２の構成が上記実施形態の場合と異なっている。
【００９２】
すなわち、本変形例の導光体５３０も、上記実施形態の導光体３０と同様、その発光部５３４が円柱状に形成されており、その後面部には複数の反射素子５３４ｓが形成されている。また本変形例においても、導光体５３０の入射部５３２が発光部５３４の同一箇所から上下３方向に分岐するように形成された３つの分岐部５３２Ａ、５３２Ｂ、５３２Ｃを備えており、その入射端面５３２Ａａ、５３２Ｂａ、５３２Ｃａにおいて３つの発光素子２０Ａ、２０Ｂ、２０Ｃからの光を入射させる構成となっている。
【００９３】
その際、各分岐部５３２Ａ、５３２Ｂ、５３２Ｃは、上記実施形態の場合と同様、円形の断面形状で入射端面５３２Ａａ、５３２Ｂａ、５３２Ｃａから発光部５３４へ向けて断面積が徐々に大きくなるように形成されているが、上記実施形態の場合のように断面積が一定の割合で大きくなるのではなく、その割合が次第に大きくなるように形成されている。そして、各分岐部５３２Ａ、５３２Ｂ、５３２Ｃの表面は、その基端部において発光部５３４の表面と滑らかの接続されるように形成されている。
【００９４】
本変形例の構成を採用することにより、各入射端面５３２Ａａ、５３２Ｂａ、５３２Ｃａから入射した各発光素子２０Ａ、２０Ｂ、２０Ｃからの光が各分岐部５３２Ａ、５３２Ｂ、５３２Ｃの表面や発光部５３４との接続部分の表面で内面反射する際の入射角が導光体５３０の臨界角以上になってしまうのを、より一層効果的に防止することができる。
【００９５】
なお、上記実施形態およびその変形例において諸元として示した数値は一例にすぎず、これらを適宜異なる値に設定してもよいことはもちろんである。
【００９６】
また、本願発明は、上記実施形態およびその変形例に記載された構成に限定されるものではなく、これ以外の種々の変更を加えた構成が採用可能である。
【符号の説明】
【００９７】
１０  灯具
１２  ランプボディ
１４  アウターカバー
１６  遮蔽部材
１６ａ  開口部
２０Ａ、２０Ｂ、２０Ｃ  発光素子（光源）
２２、２２２、３２２Ａ、３２２Ｂ、３２２Ｃ、４２２Ａ、４２２Ｂ  基板
３０、１３０、２３０、３３０、４３０、５３０  導光体
３２、２３２、３３２、４３２、５３２  入射部
３２Ａ、３２Ｂ、３２Ｃ、２３２Ａ、２３２Ｂ、２３２Ｃ、３３２Ａ、３３２Ｂ、３３２Ｃ、４３２Ａ、４３２Ｂ、５３２Ａ、５３２Ｂ、５３２Ｃ  分岐部
３２Ａａ、３２Ｂａ、３２Ｃａ、２３２Ａａ、２３２Ｂａ、２３２Ｃａ、３３２Ａａ、３３２Ｂａ、３３２Ｃａ、４３２Ａａ、４３２Ｂａ、５３２Ａａ、５３２Ｂａ、５３２Ｃａ  入射端面
３４、１３４、２３４、３３４、４３４、５３４  発光部
３４ｓ、１３４ｓ、２３４ｓ、３３４ｓ、４３４ｓ、５３４ｓ  反射素子
１３４ｓ１、１３４ｓ２、１３４ｓ３  直線部
Ａ  点
Ａｘ、Ａｘａ、Ａｘｂ、Ａｘｃ  中心軸線
【図１】
2018129148.tif 000003
【図２】
2018129148.tif 000004
【図３】
2018129148.tif 000005
【図４】
2018129148.tif 000006
【図５】
2018129148.tif 000007
【図６】
2018129148.tif 000008
【図７】
2018129148.tif 000009
【図８】
2018129148.tif 000010